Podtech/llm-jp-corpus-v4-ja_patent huggingface dataset:
(57)【要約】      （修正有）【課題】河川上に船舶を浮かべ、その上に水車と発電機を搭載し、河川の流水で発電機の回転子を回転し発電する発電装置を提供する。【解決手段】河川上に船舶を繁留しその上に水車３と発電機５を搭載し、河川の流水で水車を回転する事で発電機に接続する発電機回転子を回転して発電を行える様に発電装置を構成する。さらに、河川の水位の変化に対応するために、水車に検潮機を設置し、水面と水車の距離を計測し、その結果を水車に固定している船舶内の昇降機４にフィードバックすることで水車の高さを自動調整する。また、水車は船舶内の昇降機上に設置する固定台８に設置し、昇降機の上下によって水車の河流への出し入れを行う。【選択図】図１
0003181505.tif 000002
【実用新案登録請求の範囲】
【請求項１】
：河川上に船舶を浮かべその上に水車と発電機を搭載し、河川の流水で水車を回転する事で発電機回転子を回転し発電する事。
【請求項２】
0003181505.tif 000003
【請求項３】
：上記の発現機の回転子と水車の軸を一体化し構造の単純化を図る事。
【請求項４】
：上記の水車と発電機を船の甲板上に設けるエレベーター上に設置する事で、流水と水車間の間隔を調整可能とする事。
【考案の詳細な説明】
【技術分野】：【０００１】発電及び電気事業
【背景技術】
【０００２】造船・発電機・昇降機・瞼潮犠センサー
【先行技術文献】
：なし【特許文献１】なし
【非特許文献】
【非特許文献】なし
【特許文献】
【非特許文献１】なし
【考案の概要】
：河川上に船舶を浮かべその上に水車と発電機を搭載し、河川の流水で発電機の回転子を回転し発電する事。
【考案が解決しようとする課題】
従来利用されなかった河川の流水エネルギーの有効利用。する事。
【課題を解決するための手段】
：水車式発電船の開発。
【考案の効果】
・発電の様地確保の解消・発電侍の燃料非の削減・発電侍の公害の回避・通年の安定せる発電・ダム原発等の建設侍如く発電所建設による環境破壊の回避・発電侍の公害物資の発生の抑制・電力の消費地の近傍の発電による送電損失の回避・水路による発電設備の輸送の簡略化
【図面の簡単な説明】
【図１】上記の発電船を示した平面図である：図１参照。
【考案を実施ための形態】
：・発電船の建造と河川中の設置。・３カプラン式水車の可算の水面からの距離を昇降機で調節する・昇降機を下げる事で水車が河川に入る回転し、それと連結せる発電機の回転子を回転し、発電を行う。
【実施例】：上記
【産業の利用可能性】
：立地難・公害問題から発電所設置困難な地域の発電。
【符号の説明】：３：カプラン式水車５：三相式発電機４：昇降機１：船舶繋留フック８水車固定台５瞼町議：水車と可算面を測定、昇降機を操作し、水車の高さを調整する。９発電機回転子９水車・発電機回転軸７発電した電力取り出し口外部の送電網と結線
【考案を実施ための形態】
：地方の電力不足地域の補助的発電設備。実施例現在のところ実用化の例無し。
【産業上の利用可能性】：原発運転困難及び火力発電燃料代高騰の時勢から判断して、有望と思われる。特に、大河に複数設置する事で、発電基地化の可能性も設備の改良次第で検討に値すると思われる。
【図１】
0003181505.tif 000004
【手続補正書】
【提出日】平成24年11月9日(2012.11.9)
【手続補正１】
【補正対象書類名】実用新案登録請求の範囲
【補正対象項目名】全文
【補正方法】変更
【補正の内容】
【実用新案登録請求の範囲】
【請求項１】
河川上に船舶を繁留しその上に水車と発電機を搭載し、河川の流水で水車を回転する事で発電機に接続する発電機回転子を回転して発電を行う発電装置において、河川の水位の変化に対応するために、水車に検潮機を設置し、水面と水車の距離を計測し、その結果を水車が固定している船舶内の昇降機にフィードバックすることで水車の高さを自動調整し、水車は船舶内の昇降機上に設置する固定台に設置し、昇降機の上下によって水車の河流への出し入れを行うことを特徴とする発電装置。
(57)【要約】      （修正有）【課題】２４時間装着した状態を維持することができ、高齢者や体力的に自信のない人でも安心して使用することができ、また、日常生活のリズムを維持しつつ、使用することができる使い勝手のよい痩身用装具を提供する。【解決手段】布又は合成樹脂材料で形成された本体１２と、粒径が２０μｍ〜３５μｍになるように粉砕されたシリカブラックに含水率が６０重量％になるように加水して得られた溶液を本体の所定箇所に複数回噴霧し乾燥させることによって形成されるシリカブラック部１４と、本体を所望箇所に保持するための保持部１６とを備えていることを特徴とする痩身用装具１０。【選択図】図１
0003181566.tif 000002
【実用新案登録請求の範囲】
【請求項１】
布又は合成樹脂材料で形成された本体と、
粒径が２０μｍ〜３５μｍになるように粉砕されたシリカブラックに含水率が６０重量％になるように加水して得られた溶液を前記本体の所定箇所に複数回噴霧し乾燥させることによって形成されるシリカブラック部と、
前記本体を所望箇所に保持するための保持部と、
を備えていることを特徴とする痩身用装具。
【考案の詳細な説明】
【技術分野】
【０００１】
本考案は、使い勝手のよい痩身用装具に関する。本考案の痩身用装具は、腰部や頸部、手首、足首、脚部などの身体の所望の箇所に装着して使用される他、愛玩動物用の装具としても使用することができる。
【背景技術】
【０００２】
従来、痩身を目的とする手段として、エステティック、サプリメント類、各種運動器具（例えば、エアロバイク、ルームランナー、腹筋用具など）、痩身用ネックレス、手首や足首に装着する美容具、岩盤浴、酸素カプセル、酸素吸入機器などの多種多様な手段が知られている。
【考案の概要】
【考案が解決しようとする課題】
【０００３】
上述のような従来の痩身を目的とした手段は、一旦痩身が実現したとしても、実施を中断したり中止したりすると、その反動として、元の状態に戻る、いわゆるリバウンドが生ずるという課題があった。また、運動器具や痩身器具の使用は、使用者の意志の強さに作用されがちであり、長続きせず途中で挫折する場合が多いという課題があった。また、運動器具などでは、高齢者には不適当なものもある。さらに、サプリメントの中には、効果が低いにもかかわらず高価なものや、服用に伴う副作用が心配なものもある。
【０００４】
本考案は、このような状況に鑑みて開発されたものであって、従来の痩身手段の課題を克服した使い勝手のよい痩身用装具を提供することを目的としている。
【課題を解決するための手段】
【０００５】
本願請求項１に記載の痩身用装具は、布又は合成樹脂材料で形成された本体と、粒径が２０μｍ〜３５μｍになるように粉砕されたシリカブラックに含水率が６０重量％になるように加水して得られた溶液を前記本体の所定箇所に複数回噴霧し乾燥させることによって形成されるシリカブラック部と、前記本体を所望箇所に保持するための保持部とを備えていることを特徴とするものである。
【考案の効果】
【０００６】
本考案の痩身用装具では、２４時間装着した状態を維持することができるので、高齢者や体力的に自信のない人でも安心して使用することができる。また、本考案の痩身用装具は、過度な運動や食事制限をすることなく、日常生活のリズムを維持しつつ、使用することができる。本考案の痩身用装具は、装着を開始してから比較的早い時期に効果が表れ始める。
【図面の簡単な説明】
【０００７】
【図１】本考案の好ましい実施の形態に係る痩身用装具を示した斜視図である。
【図２】図１の線２−２に沿って見た断面図である。
【図３】図１の痩身用装具を手首に装着している例を示した図である。
【考案を実施するための形態】
【０００８】
次に添付図面を参照して、本考案の好ましい実施の形態に係る痩身用装具について詳細に説明する。図１は、本考案の好ましい実施の形態に係る痩身用装具を模式的に示した全体図、図２は、図１の線２−２に沿って見た断面図である。図１において全体として参照符号１０で示される本考案の好ましい実施の形態に係る痩身用装具は、本体１２を備えている。本体１２は、布又は合成樹脂材料で形成されている。
【０００９】
痩身用装具１０はまた、本体１２の全体又は一部に含浸され又は塗布されたシリカブラック部１４を備えている。シリカブラック部１４は、粒径が２０μｍ〜３５μｍになるように粉砕されたシリカブラックに含水率が６０重量％になるように加水して得られた溶液を本体１２の所定箇所に複数回噴霧し乾燥させることによって形成される。
【００１０】
なお、本体１２の全体又は一部に「含浸」とは、本体１２の厚さ方向を横断してシリカブラック部１４を形成することを意味し、本体１２の全体又は一部に「塗布」とは、本体１２の一方の面上にシリカブラック部１４を形成することを意味する。
【００１１】
痩身用装具１０はさらに、痩身用装具１０を身体の所望箇所に保持するための装着部１６を備えている。装着部１６としては、図示されているようなバックル付きベルトの他、紐、面ファスナなどの公知の適当な手段を使用してよい。
【００１２】
図３は、痩身用装具１０を手首に装着した状態を示した図である。痩身用装具１０は、手首の他、足首、腰部、頸部などの身体の所望箇所に装着して使用することができる。痩身用装具１０は、このような所望箇所に対して最適に使用することができるように、装着箇所に応じた形状及び寸法に形作るのが好ましい。また、痩身用装具１０は、人間のみならず、犬や猫などの愛玩動物用に装着して使用することもできる。
【００１３】
本考案では、身体内部の皮下脂肪とシリカブラック部１４とのイオン化作用により、皮下脂肪を効率的に燃焼させ分解することができる。また、本考案の痩身用装具１０を使用することにより、身体内の酸化水分が分解され、汗となって身体外に排出される。さらに、シリカブラック部１４の遠赤外線作用により、身体の筋肉部分等における血流がスムーズになり、身体が温まり、冷え性や肩こり等の改善を図ることができる。
【００１４】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１５】
たとえば、前記実施の形態では、本体１２が矩形の形状で示されているが、本体１２の形状を他の任意の形状にしてもよく、シリカブラック部１４を本体１２の全体に配置しても一部に配置してもよい。
【符号の説明】
【００１６】
１０  痩身用装具
１２  本体
１４  シリカブラック部
１６  装着部
【図１】
0003181566.tif 000003
【図２】
0003181566.tif 000004
【図３】
0003181566.tif 000005
(57)【要約】      （修正有）【課題】体の低温やけどを防ぎ、就寝時に足の血行促進を可能にする湯たんぽを提供する。【解決手段】湯たんぽの容器本体の表面に凹部を多数設け、本体成形後、半貫通穴に磁石を埋め込む。【選択図】図１
0003181564.tif 000002
【実用新案登録請求の範囲】
【請求項１】
容器本体の表面に凹部を多数設けたことを特徴とする湯たんぽ。
【請求項２】
容器本体の表面に磁石埋め込み用の不貫通穴を設け、この容器本体の表面と面日一になるように磁石を埋め込んだことを特徴とする請求項１記載の湯たんぽ。
【請求項３】
容器本体を立設し得るようにこの容器本体の底部を平坦にしたことを特徴とする請求項１若しくは２記載の湯たんぽ。
【考案の詳細な説明】
【技術分野】
【０００１】
本考案は従来の湯たんぽの容器本体の形状を楕円盤型ではなく、容器本体に平面な底部を設けることにより、従来の水平使用及び垂直使用の行える湯たんぽ容器に関するものである。
【背景技術】
【０００２】
従来の湯たんぽは、円盤状の形が多く水平状態で使用する物が多い。低温やけどの回避、保温力の持続、又、形状を三角形にして足元がずれ落ちないようにした考案等がある。
【先行技術文献】
【特許文献】
【０００３】
【特許文献１】実用新案登録第3150808号
【特許文献２】実用新案登録第3147835号
【特許文献３】特開2011-45643号
【考案の概要】
【考案が解決しようとする課題】
【０００４】
本考案は、低温やけどをしにくい形状であること、内部液体がさめても足の血行をよくすること、足のつま先に掛かる負荷を軽減する湯たんぽを提供することを目的とする。
【課題を解決するための手段】
【０００５】
足を湯たんぽの上に上げた場合に低温やけどを避けるため、湯たんぽの容器本体１の外部表面に半円球の凹部２を設ける。更に、この容器本体１の外部表面に磁石埋め込み用の不貫通穴３を設け、この不貫通穴３に磁石を埋め込むことにより磁力線による血行等の促進効果を受け内部液体がさめても、足の血行促進が受けられる。湯たんぽの上に足を乗せた場合、布団などの加重が大きくなり不快感が増す、このことを解決するには湯たんぽの垂直使用が出来る平坦な底部４をもつ形状にすることにより解決する。
【考案の効果】
【０００６】
上述のように、湯たんぽの使用にあたり、様々な工夫がなされている。本考案は一体成形された容器に凹部を設けることにより低温やけどが避けられる。又磁力を用いた健康器具があるがその効能を就寝時に受ける効能を付加した物である。就寝時に足を立てるとつま先に布団の負荷がかかり不快感がある、底部のある湯たんぽを垂直使用することによりつま先への負荷は軽減され快眠することが出来る。
【図面の簡単な説明】
【０００７】
【図１】本考案の湯たんぽ実施例を示す水平時の平面図
【図２】本考案の湯たんぽの垂直時の平面図
【図３】本考案の湯たんぽの垂直使用例１側面図
【図４】本考案の湯たんぽの垂直使用例２側面図
【考案を実施するための形態】
【０００８】
湯たんぽの形状を図1に示し容器本体１は注湯口フタを除き一体成形とし、底部４を設け、容器本体１の表面に、磁石埋め込み用の不貫通穴３を設ける。容器成形後、この不貫通穴３に磁石を埋め込み、フタを取り付け容器は完成する。
【実施例】
【０００９】
使用は図１の状態で水平使用、従来同様で用いる。本考案の特徴である湯たんぽの垂直使用時を図３、図４に示す。
【符号の説明】
【００１０】
１  本体
２  凹部
３  磁石
４  底部
５  取手部分
６  取手開口部
７  足
８  注湯口
【図１】
0003181564.tif 000003
【図２】
0003181564.tif 000004
【図３】
0003181564.tif 000005
【図４】
0003181564.tif 000006
(57)【要約】      （修正有）【課題】植物の枝を所望の形状に導くためのトピアリーのフレームに用いる巻き線状のコイルを備えるトピアリーを造るための部材を提供する。【解決手段】コイルを、トピアリーのフレームに巻きつけながら装着し、所定の位置で結束線を用いて固定する。このフレームに植物の枝を誘引することにより、さまざまな形のトピアリーを作ることができる。【選択図】図１
0003181600.tif 000002
【実用新案登録請求の範囲】
【請求項１】
トピアリーを造るための部材であって、植物の枝を所望の形状に導くためのトピアリーのフレームに用いる巻き線状のコイルを備えることを特徴とするトピアリーを造るための部材。
【請求項２】
前記トピアリーを造るための部材は、前記コイルと、前記フレームと、を備える骨格鋼材を有し、前記骨格鋼材は、所定の位置で結束線を用いて固定されることを特徴とする請求項１に記載のトピアリーを造るための部材。
【請求項３】
前記骨格鋼材が、ト音記号等の音符の形状であることを特徴とする請求項２に記載のトピアリーを造るための部材。
【請求項４】
前記骨格鋼材が、ローマ字又は動物・魚の形状であることを特徴とする請求項２に記載のトピアリーを造るための部材。
【考案の詳細な説明】
【技術分野】
【０００１】
本考案は、トピアリー（植物を人工的・立体的に形づくる造形物）のフレームに取り付ける巻き線状のコイルに関する。より詳しくは、動物等の形状に整え、屈曲が容易な線材に、植物（ツゲやピラカンサ）の成長に合わせて枝を絡ませて、造形を楽しむトピアリーのコイルに関する。
【背景技術】
【０００２】
従来は、骨格鋼材を造るのに、線材と線材を溶接する必要があり、溶接には、コストがかかっていた。そのため、溶接を避けて、フレームとフレームを固定するためのスプリングスリーブを用いることが発明されている。
【先行技術文献】
【特許文献】
【０００３】
【特許文献１】特開２００４−４９２０３号公報
【考案の概要】
【考案が解決しようとする課題】
【０００４】
このようにして造ったフレームであっても、植物が所望の形状に誘引されず、または、所望の形状に植物を刈り込むことが難しいことが分かった。
【課題を解決するための手段】
【０００５】
そこで、植物の枝を所望の形状に導くためのトピアリーのフレームに用いる巻き線状のコイルを備えることを特徴とするトピアリーを造るための部材を提供する。コイルは、簡単に人間の手で、フレームに巻きつけながら装着し、所定の場所で結束線を用いて固定する。
【０００６】
この結果、フレームの周囲にコイルの大きさ分の植物を誘引又は刈り込むことができ、きれいな形状に整えることができる。
【０００７】
また、植物の枝を所望の形状に導くためのトピアリーのフレームに用いる巻き線状のコイルとフレームを備える骨格鋼材を有し、骨格鋼材は、所定の位置で結束線を用いて固定されることを特徴とするトピアリーを造るための部材を提供する。
【０００８】
これにより、コイルとフレームをセットで販売することで、難しかったトピアリーの造形が、簡単にできることになる。
【０００９】
さらに、前記骨格鋼材が、ト音記号等の音符の形状であるものを提供する。
【００１０】
これにより、複雑な形状のトピアリーの提供が可能となる。
【００１１】
さらに、前記骨格鋼材が、ローマ字又は動物・魚の形状であるものを提供する。
【００１２】
これにより、複雑な形状のトピアリーの提供が可能となる。
【考案の効果】
【００１３】
本考案により、フレームを接合する溶接を減らす、又は、なくすことができ、かつ、トピアリーの造形を比較的簡単に行うことができるようになった。
【図面の簡単な説明】
【００１４】
【図１】本考案に係るトピアリーのト音記号を表した植木である。
【図２】（a）本考案に係るトピアリーの作成に用いるコイルである。（b）本考案に係るトピアリーの作成に用いる骨格鋼材である。（c）本考案に係るトピアリーの骨格鋼材の接合箇所の拡大図である。
【図３】本考案に係るトピアリーのローマ字Ｂを完成した形である。
【考案を実施するための形態】
【００１５】
図２に示すように、巻き線状のコイル１をフレーム２に手で巻きつける。その後、フレーム２の先端部にコイル１を結束線３で固定する。植物の枝を誘引することで、図１のような完成した形４となる。
【００１６】
また、図３に表されたのは、ローマ字のＢである。
【００１７】
以上、考案を実施するための形態を説明したが、本考案は、上記実施形態に限定されることなく、さまざまな変形が可能である。例えば、カタカナやひらがなでも対応ができる。また、従来のトピアリーによく見かける動物や魚の形でも良い。
【産業上の利用可能性】
【００１８】
本考案は、トピアリーの生産者のみならず、最終消費者でも容易にできることで、フレームとコイルのセットを大量に販売することができるので、トピアリー業界の全体の需要を喚起できる。
【符号の説明】
【００１９】
１  巻き線状のコイル
２  フレーム
３  結束線
４  完成した形
【図１】
0003181600.tif 000003
【図２】
0003181600.tif 000004
【図３】
0003181600.tif 000005
(57)【要約】      （修正有）【課題】口腔内上顎口蓋部に装着することにより、咀嚼誘導を行いかつ、唾液分泌促進同時に可能とする咀嚼誘導・唾液分泌促進装置を提供する。【解決手段】半径７〜１２ｍｍの半球形状の樹脂製であって、装固着部を備える。【選択図】図２
0003181542.tif 000002
【実用新案登録請求の範囲】
【請求項１】
半径７〜１２ｍｍの半球形状を有する樹脂製の上顎小臼歯、大臼歯に装固着部を備えた咀嚼誘導・唾液分泌促進装置具
【考案の詳細な説明】
【技術分野】
【０００１】本考案は、口腔内上顎口蓋部に装着することにより、咀嚼誘導を行い、唾液分泌促進のための半径７〜１２ｍｍの半球形状の樹脂製の咀嚼誘導・唾液分泌促進装置装置に関するものである。
【背景技術】
【０００２】歯科医療領域の咀嚼障害の治療に用いる咀嚼機能の改善の医療用具としての咀嚼誘導装置は歯科技工物としてあった。
【考案の概要】
【考案が解決しようとする課題】
【０００３】現状に歯科医療領域の咀嚼障害の治療に用いる咀嚼機能の改善の医療用具としての咀嚼誘導装置は歯科技工物としておいてのみであった。
本考案は、口腔内上顎口蓋部に装着することにより、咀嚼誘導を行いかつ、唾液分泌促進同時に可能とすることを課題とした。
【課題を解決するための手段】
【０００４】本考案は口腔内上顎口蓋部に装着することにより、咀嚼誘導を行い、唾液分泌促進のための半径７〜１２ｍｍの半球形状の樹脂製の咀嚼誘導・唾液分泌促進装置を考えた。
【考案の効果】
【０００５】現状におけての現状に歯科医療領域の咀嚼障害の治療に用いる咀嚼機能の改善の医療用具としての咀嚼誘導装置は歯科技工物としておいてのみであった。
本考案は半径７〜１２ｍｍの半球形状の樹脂製の咀嚼誘導・唾液分泌促進装置を口腔内上顎口蓋部に装着することにより、咀嚼誘導を行いかつ、唾液分泌促進同時に可能とすることを可能にした。
【考案の実施するための形態】
以下、本考案の実施の形態について説明する。
（イ）、１．半径７〜１２ｍｍの半球形状樹脂  ２．上顎小臼歯、大臼歯に装固着させる
【図面の簡単な説明】
【図１】本考案の正面図である。
【図２】本考案の断面図である。
【図３】本考案の斜面図である。
【符号の説明】１  半径７〜１２ｍｍの半球形状樹脂
２  上顎小臼歯、大臼歯に装固着部
【図１】
0003181542.tif 000003
【図２】
0003181542.tif 000004
【図３】
0003181542.tif 000005
(57)【要約】      （修正有）【課題】一周分を容易に剥ぎとることができる粘着テープを提供する。【解決手段】ミシン目の形状を鉤型にする。【選択図】図３
0003181531.tif 000002
【実用新案登録請求の範囲】
【請求項１】
ミシン目の形状を鉤型にしたことを特徴とする、スペアー粘着テープのロール。
【考案の詳細な説明】
【技術分野】
【０００１】  本考案は、老人子供のみならず、目や指先が不自由な人でも、誰でも、粘着カーペットクリーナーのスペアー粘着テープの一周分を、容易に剥ぎ取る、ミシン目である。
【背景技術】
【０００２】  従来ミシン目は  破断し易い為に  材料強度を弱めた物であり  それがやりすぎると、粘着テープ一周分に止まらず、粘着テープ数層分を剥ぎ取る事となる。カットライン前後の引き裂き強さとカットライン上下の引き剥がし強さの差をどの程度にするかに掛かる。【０００３】カットラインを  スペアテープの延長線に対し斜めに採るなど有るが、此処では鉛直に採る事とし、カットラインのいわばミシン目の形状により  引き裂き強さの加減を謀る。
ミシン目の一つを採りあげて、断続比のみで無く、鉤型など  その形状にも配慮する。
【考案の開示】
【考案が解決しようとする課題】
【０００４】  テープの粘着性も使途・状況により様々で、それに対する剥がし強さ、更に裂き強さも様々であり、個々に対応する為、数種類の組合せを準備する。【０００５】  テープの粘着性は  毛あしの長いカーペット用から  板張りフロアー用まで  三種類、それらに対する裂き強さも  婦女子用から  業務用まで  三種類は用意する。【０００６】  もしも  需給の多寡を無視すれば  最低九種類の組合せが必要となる。
【課題を解決するための手段】
【０００７】  いわばミシン目の穴の長軸徑と短軸徑の比を大きくする事により、裂き強さを加減する。【０００８】  いわばミシン目の形状を鉤型とし、不測の事態で  連鎖反応的に破壊が起きる事を防ぐ。
【考案の効果】
【０００９】  粘着カーペットクリーナーにおいて  カートリッジであるスペア粘着テープの使用後ちょうど一周分除去するに当たり、ほどよく剥がせ  一周分裂き取る事ができる。
【考案を実施するための最良の形態】
【００１０】  図１のように  異形の穴を連ね  剥がし易く  裂き易くした  スペア粘着テープ。
【実施例１】
【００１１】  図２のように  長軸徑と短軸徑の比を大きくする事により、裂き強さを加減する。
【実施例２】
【００１２】  図３のように  穴の形状を鉤型とし、連鎖反応的に破壊が起きる事を防ぐ。
【産業上の利用可能性】
【００１３】  粘着カーペットクリーナーに限らず、通常、テープ状の物を引き裂いて使う事は多い。テープに適度な引き裂き強さを与える事は  幾多の場合有効である。
【図面の簡単な説明】
【００１４】
【図１】粘着カーペットクリーナーのスペア粘着テープのカートリッジである。
【図２】通称  ミシン目の穴の形状である。
【図３】穴の形状を  鉤型にし破損が連鎖し難い様に工夫したものである。
【符号の説明】
【００１５】１カートリッジ
２カットライン
３ミシン目
４鉤型ミシン目
【図１】
0003181531.tif 000003
【図２】
0003181531.tif 000004
【図３】
0003181531.tif 000005
(57)【要約】      （修正有）【課題】着衣が容易で、ファッション性を高めることができるセーラー服を提供する。【解決手段】接合金具２により前開きを容易とし、ボタンによって胸あて５を脱着可能とする。【選択図】図１
0003181539.tif 000002
【実用新案登録請求の範囲】
【請求項１】
接合器具によって前開きを容易なものとしたセーラー服
【請求項２】
ボタンによって胸あてを脱着可能とした請求項１のセーラー服
【請求項３】
側面下部に付したボタンとタックによってウェストサイズの調整を可能とした請求項１及び請求項２のセーラー服
【考案の詳細な説明】
【技術分野】
【０００１】本考案は、学生服及び舞台用衣装等に関する。
【背景技術】
【０００２】従来の技術では、セーラー服において前開き式のものは極めて少なく、それに伴い前開き式セーラー服の改良は進んでいなかった。【０００３】さらにセーラー服においては関東圏、中部圏、関西圏とデザインにおいてそれぞれの地域性があり、特に胸あてにおいては関西圏では大きく襟が開いているために胸あてが必要であるのに、関東圏では襟が大きく開いていないため胸あてが必要ない等、地域によって大きなデザインの違いがあることから普遍的な技術改良は殆どなされなかったという背景があり、よって着心地や機能性の向上はなされてこなかった。
【先行技術文献】
【特許文献】
【０００４】
【特許文献１】登録実用新案第３０２０９３０号
【特許文献２】登録実用新案第３０２７１９６号
【特許文献３】特許公開２００１−２７９５１１
【考案の概要】
【考案が解決しようとする課題】
【０００５】そこで本考案は、接合器具によって前開き可能となるセーラー服の上着のウェスト部を調整できるようにし、更に胸あてをボタンで脱着可能とすることにより、着心地と機能性の向上を図っている。
【課題を解決するための手段】
【０００６】本考案は、図１に示すセーラー服１の前部を接合器具２によって前開きを容易なものとし、図２に示す前部が開いた状態のセーラー服１の裏面３にボタン４を右側に４つ、左側に２つ付し、図３に示す胸あて５にそれぞれ対応するボタン６を付し、容易に脱着できるようにしている。【０００７】更に図１に示すセーラー服１の側面下部の両側にボタン７及びタック８を付し、これによってウェストサイズの調整を可能としている。
【考案の効果】
【０００８】本考案により、従来のセーラー服及び前開き式セーラー服に比して着衣が容易となり、着衣者の動き易さが向上し、セーラー服の前部を開き、胸あて部を取り外した状態で装飾品を使用して着衣できる等、ファッション性を高めることが可能であり、また体温調整も可能という効果がある。
【図面の簡単な説明】
【図１】セーラー服
【図２】前部を開いたセーラー服
【図３】セーラー服に付す胸あて部
【考案を実施するための形態】
【０００９】この考案の好ましい実施形態として、セーラー服の前開きにファスナーを使用し、襟が大きく開いたセーラー服にスナップボタンにより脱着可能な胸あてを付すことが、本件考案を実施するための好ましい形態であるといえる。
【実施例】
【００１０】本件考案を所謂ライブ衣装またはイベント衣装として実施したところ、数着を用いて行うこれらのライブ等において、衣装換え時間の短縮が可能となり、更にファッション性及び機能性が向上したセーラー服は、ライブ衣装として非常に有用であると使用者からの意見が得られた。
【産業上の利用可能性】
【００１１】従来技術では十分な効果が発揮できなかったセーラー服において、本件考案がなされたことにより、エンターテイメント業界及びファッション業界において産業上の利用可能性があるものと思料する。
【符号の説明】１  セーラー服の前面
２  接合器具
３  セーラー服の裏面
４  セーラー服裏面に付したボタン
５  セーラー服の胸あて
６  胸あてに付したボタン
７  セーラー服側面下部に付したボタン
８  セーラー服側面下部に付したタック
【図１】
0003181539.tif 000003
【図２】
0003181539.tif 000004
【図３】
0003181539.tif 000005
(57)【要約】      （修正有）【課題】幅広い攪拌材に対応を可能としたミキサーを提供する。【解決手段】回転軸の一端に設けられた２枚の攪拌翼１を備え、攪拌翼１は中心部に軸穴を有する円板であって、外周縁に略均等間隔に複数の羽根２と攪拌物の通路３を有し、該羽根２は攪拌翼１の面に対して１方向の傾斜角を有しており、該攪拌翼２枚を羽根の傾斜角がそれぞれ相反する方向となるように合わせて、ミキサーの回転軸７の一端を前記軸穴に着脱自在に固着する。【選択図】図１
0003181538.tif 000002
【実用新案登録請求の範囲】
【請求項１】
回転軸の一端に設けられた２枚の攪拌翼を備えたミキサーであって、攪拌翼は中心部に軸穴を有する円板であって、外周縁に略均等間隔に複数の羽根と攪拌物の通路を有し、該羽根は攪拌翼の面に対して１方向の傾斜角を有しており、該攪拌翼２枚を羽根の傾斜角がそれぞれ相反する方向となるように合わせて、前記ミキサーの回転軸の一端を前記軸穴に着脱自在に固着したことを特徴とするミキサー。
【考案の詳細な説明】
【技術分野】
【０００１】  上下の羽根の位置を円周方向にスライドする事であらゆる流動物質に対し、混練状態を調整した状態で攪拌が行えるミキサーに関する。
【背景技術】
【０００２】  従来のミキサーは、たとえば特許文献１，２に開示された回転羽が知られており、流動物は常に一定方向へ流動し、一定の流動量であった。
【先行技術文献】
【特許文献】
【０００３】
【特許文献１】実公昭６１−４０３３８号公報
【特許文献２】実用新案登録第３０４３８９５号公報
【非特許文献】
【０００４】
【非特許文献１】
【非特許文献２】
【考案の概要】
【考案が解決しようとする課題】
【０００５】  本考案は請求項１に記載した回転軸の一端に設けられた２枚の攪拌翼を備えたミキサーであって、攪拌翼は中心部に軸穴を有する円板であって、外周縁に略均等間隔に複数の羽根と攪拌物の通路を有し、該羽根は攪拌翼の面に対して１方向の傾斜角を有しており、該攪拌翼２枚を羽根の傾斜角がそれぞれ相反する方向となるように合わせて、前記ミキサーの回転軸の一端を前記軸穴に着脱自在に固着したことを特徴とするミキサーである。
従来のミキサーは混練しようとする流動物の粘度によって羽根形状の変更、一定方向への攪拌で余分な流動により泡立ちや攪拌不良が問題を有していた。
【課題を解決するための手段】
【０００６】  上記課題を解決するために、相反する方向の傾斜角をもった羽根とした２枚の攪拌翼とすることで、一定方向の回転で流動体が逆方向への流動を起こすことが可能となった。又、２枚の攪拌翼を同方向にスライドさせることで２枚の攪拌翼の羽根で形成される通路を通る流動物の量や粘度差が有っても流動を円滑にすることが可能となった。
【考案の効果】
【０００７】  高粘度、低粘度共に２枚の攪拌翼によって形成される通路の大きさを調整する事で、余分な力が加わらず、又、羽根の傾斜角と通路によって、均等な流動が起き、短時間で均一な混練攪拌が可能となった。
【図面の簡単な説明】
【０００８】
【図１】本考案の軸に攪拌翼を取付けた状態を示す斜視図である。
【図２】同平面図である。
【図３】図２のＡ−Ａ線切断部端面図である。
【図４】円板から攪拌翼を形成するための説明図である。
【図５】図２のＢ−Ｂ線切断部端面図である。
【考案を実施するための形態】
【０００９】  二枚の攪拌翼を相反する方向に重ね合せ、左右から供給された物質が上部羽根により巻き上げられ下部羽根により放出される。二枚の攪拌羽根をスライドする事で巻き上げ量、放出量を変化させ、攪拌材によって変更する事が出来る。
【実施例】
【００１０】  以下添付図面にしたがって、一実施例を説明する。
図１に基づいて説明する。図１は回転軸７の一端に２枚の攪拌翼１、１が固着されている。回転軸７はステンレス鋼製の６角形の棒であり、一端には、攪拌翼１、１を固着する為の直径６ｍｍのネジが形成されており、他端はミキサー本体（図示しない）の回転具に繋がる。又、攪拌翼１はオーステナイト系ステンレス鋼製であって、厚さ０．５ｍｍ、直径７０ｍｍであり面の中心部には直径７ｍｍの軸穴６がもうけられている。
攪拌翼１の周縁には８枚の羽根２が形成されており、この羽根は攪拌翼１の面に対して３０度の傾斜角で１方向に傾いている。２枚の攪拌翼１、１は羽根２の平らな面が対向する様に、即ち羽根２の傾斜角がそれぞれ相反する方向となる様に合わせて、軸穴６に対して回転軸７の一端に形成したネジを挿通させて、ナット９（図５に示す）により固着する。
次に図２について説明する。図２は２枚の攪拌翼１、１とその外周に形成された８枚の羽根が円周上に均等な間隔で形成されている。攪拌翼１は一方の面には羽根２が突き出しているが、他方の面は平らな形状となっている。攪拌翼１、１は、同形状の２枚の羽根２を平らな面を向き合わせてそれぞれの軸穴６を回転軸７の一端に形成されたネジに挿通し、ナット９（図５に示す）を締めて固着する。
図３は図２のＡ−Ａ線切断端面図を示す。図３（１）は通路３を全開にした状態を示し、図２（２）は通路の大きさを小さく絞った状態を示す。通路３の大きさの調整は、ナット９（図５に示す）を緩めることにより、２枚の攪拌翼１、１を相互に回転させて、通路３の大きさを調整し、その後ナット９を締めて固着することで調整が可能となる。通路３の大きさの調整は、混練使用とする流動物の粘度の高さに応じて行えば良い。
図４は円板から、攪拌翼１を形成するための説明図である。円板は、オーステナイト系ステンレス鋼の厚さ０．５ｍｍ、直径７０ｍｍのものを放電加工により周縁には８枚の羽根２が形成される様に羽根形状の切り込み４入れる。そして、点線で示した折れ線５から屈曲はせて３０度の傾斜角で１方向に傾くように羽根２を形成する。従って、攪拌翼１の一方の面は羽根２が突き出ているが、他方の面は平らになっている。
図５は図２のＢ−Ｂ線切断部端面図を示す
【符号の説明】
【００１１】  １  攪拌翼
２  羽根
３  通路
４  切り込み
５  折れ線
６  軸穴
７  回転軸
８  ネジ
９  ナット
ＡＢＣＤ流動物の流れる方向
【図１】
0003181538.tif 000003
【図２】
0003181538.tif 000004
【図３】
0003181538.tif 000005
【図４】
0003181538.tif 000006
【図５】
0003181538.tif 000007
(57)【要約】      （修正有）【課題】実物の魚や水草を収納した水槽のように、給餌や水替等のメンテナンスの必要がない様に、映像を使って魚や水草を表示する動画電子水槽を提供する。【解決手段】実際のアクアリウム水槽を高精細ハイビジョンカメラで撮影し、撮影された映像を、コンピュータへ取り込み、デジタル処理を施す。デジタル処理された映像データを筐体１に内蔵された動画再生装置３へ組み込み、薄型ディスプレイモニタ等の表示装置２へ表示する。組み込み時に付加機能として、時計やカレンダー、メッセージ表示機能などを組み込むタイプとしても良い。また、動画再生装置内蔵型薄型ディスプレイモニタの表示装置は、壁掛け型として設置しても良い。【選択図】図１
0003181512.tif 000002
【実用新案登録請求の範囲】
【請求項１】
実際のアクアリウム水槽を高精細ハイビジョンカメラで撮影し、撮影された映像を、コンピュータに取り込み、デジタル処理を施した映像データであって、前記映像データを動画再生装置に取り込み、薄型ディスプレイモニタ等の表示装置に表示することを特徴とする動画電子水槽装置。
【請求項２】
前記映像データを表示装置に表示中に、時計やカレンダー、メッセージ等付加機能を表示することを特徴とする請求項１記載の動画電子水槽装置。
【考案の詳細な説明】
【技術分野】
【０００１】
本考案は、薄型ディスプレイモニタ等の表示装置と動画再生装置を利用し、動画再生装置から薄型ディスプレイモニタ等の表示装置へアクアリウムの映像を表示する、動画電子水槽装置に関する。
【背景技術】
【０００２】
下記特許文献１には、赤外線センサ、超音波センサ、マイクロウェーブ等人体検知センサ、周囲の明るさを検知する光センサを備えたインテリア疑似魚水槽が開示されている。
【先行技術文献】
【特許文献】
【０００３】
【特許文献１】実用新案登録第３００７７７１号公報
【考案の概要】
【考案が解決しようとする課題】
【０００４】
一般的に物理的なアクアリウム水槽では、魚の給餌や水替え、水草の栄養補給等、メンテナンスに非常に手間が掛かるうえ、コストも掛かる。そのため、本来アクアリ  ムが持つ、癒しや安らぎの効果は、病院や介護施設などに向いているが、衛生面やメンテナンスの面から、設置したい場所ほど、その設置が困難であるという問題点があった。
【０００５】
本考案では、どのような場所、あらゆるシーンでもアクアリウム水槽の効果を得る事が出来る動画電子水槽装置を提供する。
【課題を解決するための手段】
【０００６】
本考案が開示する動画電子水槽装置は、実際のアクアリウム水槽を高精細ハイビジョンカメラで撮影し、コンピュータへ取り込みデジタル処理を行い、動画再生装置から薄型ディスプレイモニタ等の表示装置へアクアリウムの映像を表示する。従来のアクアリウム水槽における煩雑なメンテナンスやコスト的な問題を無くし、設置場所を選ばずに設置出来ることを特徴とする。
【０００７】
上記の動画電子水槽装置では、撮影した映像をコンピュータへ取り込みデジタル処理を施す過程や、動画再生装置へ組み込む過程で、カレンダーや時計、メッセージ等、日常的に利用可能な機能も付加することができ、利用範囲を拡大することが出来る。
【考案の効果】
【０００８】
上記の動画電子水槽装置は、薄型ディスプレイモニタ等の表示装置を設置出来る場所なら、何処でも設置出来、日常的なあらゆるシーンで使用可能な形態になるものである。また、病院や介護施設等のアクアリウムセラピーとしての利用や、商業施設やデパート、ビルやホテルのエントランスといった一般的に水槽を設置するのに困難であった場所に設置することができる。また、カレンダーや時計、メッセージ表示機能等と一緒に用いることができ、今までのアクアリウム水槽の設置場所以外にも、使用される範囲を広めるものである。
【図面の簡単な説明】
【０００９】
【図１】本考案の実施形態にかかる動画電子水槽装置を示す外観図である。（ｂ）は側面図を示す。
【図２】本考案の第２の実施形態にかかる動画電子水槽装置を示す外観図である。（ｂ）は側面図を示す。
【図３】表示装置への付加機能を示す図で（ａ）はカレンダー機能を示し、（ｂ）は時計機能を示し、（ｃ）はメッセージ機能を示す。
【図４】本考案の実施形態にかかるフローチャートを示す。
【考案を実施するための形態】
【００１０】
本実施例に係る動画電子水槽装置について、図面を参照しながら説明する。図４のフローチャートに示すように、実際のアクアリウム水槽を高精細ハイビジョンカメラで撮影し、撮影された映像を、コンピュータへ取り込み、デジタル処理を施す。デジタル処理された映像データを筐体１に内蔵された動画再生装置３へ組み込み、図１に示すように、薄型ディスプレイモニタ等の表示装置２へ表示する。組み込み時に付加機能として、図３に示すように時計やカレンダー、メッセージ表示機能などを組み込むタイプも利用可能である。また、動画再生装置内蔵型薄型ディスプレイモニタの表示装置４は、非常に薄くて軽い構造を利用し、図２に示すように壁掛け型で設置が可能である。
【００１１】
上記の通り、本実施例では電子看板の端的なコンテンツとして、あらゆるシーンでの利用が可能となる。デパートやビル、ホテルのエントランス、企業の受付など、接客業の業種向けに、また、アクアリウムセラピーとして、病院や介護施設などの医療機関向けに、使用することができる。
【００１２】
本考案はアクアリウム映像の他、海や山、川等の自然風景や海中や川の中等を高精細ハイビジョンカメラで撮影し、その映像をコンピュータへ取り込みデジタル処理し、動画再生装置３へ組み込み、薄型ディスプレイモニタ等の表示装置２へ表示することが出来、電子看板としても利用できる。
【００１３】
本考案は、薄型ディスプレイモニタ等の表示装置２について、３．５インチの小型のサイズから７５インチの大型サイズ、またはそれ以上の超大型サイズまで幅広く対応する物である。
【００１４】
表示装置は、動画再生装置３内蔵型薄型ディスプレイモニタ表示装置４として、壁掛け型電子看板とすることで幅広く利用することが出来る。
【００１５】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性を持つものである。
【符号の説明】
【００１６】
１  筐体
２  薄型ディスプレイモニタ（表示装置）
３  動画再生装置
４  動画再生装置内蔵型薄型ディスプレイモニタ（表示装置）
【図１】
0003181512.tif 000003
【図２】
0003181512.tif 000004
【図３】
0003181512.tif 000005
【図４】
0003181512.tif 000006
【手続補正書】
【提出日】平成24年11月22日(2012.11.22)
【手続補正１】
【補正対象書類名】実用新案登録請求の範囲
【補正対象項目名】請求項１
【補正方法】変更
【補正の内容】
【請求項１】
薄型ディスプレイモニタ等の表示装置と、前記表示装置に映像データを再生する動画再生装置とを備えた動画電子水槽装置であって、前記映像データは、実際のアクアリウム水槽を高精細ハイビジョンカメラで撮影したものであることを特徴とする動画電子水槽装置。
(57)【要約】      （修正有）【課題】鉛筆の正しい持ち方練習、また持ち方矯正ができる鉛筆キャップを提供する。【解決手段】鉛筆を持った時の親指と人指し指が相互に重ならないように親指人指し指侵入防止壁３を設け、中指の位置確保ができる中指置き穴７を設け、持ち方上下を自然誘導する持ち方誘導帯４を設け、皮革や合成皮革のようなソフトで丈夫な素材で作成することを特徴とする鉛筆持ち方矯正補助多機能キャップ。【選択図】図５
0003181529.tif 000002
【実用新案登録請求の範囲】
【請求項１】
厚み１．５ｍｍくらいの皮革や合成皮革のようなソフトで丈夫な素材を用い、鉛筆を持ち始める子供用の通常より短い鉛筆に合わせた長さで筒状に形成し、一方の端を閉じて後端閉口部とし、他端を開口し先端開口部とし、筒外面の先端開口部近くに、親指と人指し指を挟み合わせるように置き添える指置きポイントを設け、この指置きポイントの領域を前方方向へ筒外面を縦に平たく押し拡げるように親指人指し指相互侵入防止壁を設け、この親指人指し指相互侵入防止壁は、指置きポイントの領域にとどまらず、そのまま後端閉口部まで連続する形で持ち方誘導帯を形成するものであり、指置きポイントの後背部に中指置き穴を設けたことを特徴とする鉛筆持ち方矯正補助多機能キャップ。
【考案の詳細な説明】
【技術分野】
【０００１】  本考案は、鉛筆を初めて持った時の正しい持ち方の補助具及び間違った持ち方の矯正具、そして短くなった鉛筆の延長軸としても使用できる鉛筆持ち方矯正補助多機能キャップに関するものである。
【背景技術】
【０００２】  従来、鉛筆の先端に取り付ける数種類の補助具（特許文献１、２参照）や、鉛筆と指を  固定するリング状のもの（特許文献３参照）や、三角鉛筆や指を添わせるためのライン  や模様の入っている鉛筆（特許文献４参照、）や、そして鉛筆延長補助軸（キャップ）  などが市販されている。
【先行技術文献】
【特許文献】
【０００３】
【特許文献１】特許公開２０００−２０３１８８号公報
【特許文献２】実用新案公開平５−８５６８８号公報
【特許文献３】特許公開平１１−１２３８９１号公報
【特許文献４】登録実用新案第３１７３４７３号公報
【考案の概要】
【考案が解決しようとする課題】
【０００４】  特許文献１や４に示す先行技術は、どこをどのように持つのかの判断が子供によっては難しかったり、作業に熱中してしまうと、個々の癖が、たとえば中指が人差し指の横に出てくる、親指が人差し指の上へ重なる、人差し指が親指に重なってしまうということがある。
特許文献２に示す先行技術でも、中指が人差し指の横に出てくることがある。
特許文献１や３や４に示す先行技術は鉛筆が短くなった時には使用が難しい。
また、別の補助具では、鉛筆がたちすぎてしまうことがある。
また、手に痛みを感じることもある。
左手用の補助具がなかなか手に入らないことがある。
本考案は、以上の問題点を解決するものである。
【課題を解決するための手段】
【０００５】  厚み１．５ｍｍ位の皮革や合成皮革のようなソフトで丈夫な素材を用い、鉛筆を持ち始める子供用の通常より短い鉛筆に合わせた長さで筒状に形成し、一方の端を閉じて後端閉口部とし、他端を開口し先端開口部とする。
筒外面の先端開口部近くに、親指と人指し指を挟み合わせるように置き添える指置きポイントを設け、この指置きポイントの領域を前方方向へ筒外面を縦に平たく押し拡げるように親指人指し指相互侵入防止壁を設け、この親指人指し指相互侵入防止壁は、指置きポイントの領域にとどまらず、そのまま後端閉口部まで連続する形で持ち方誘導帯を形成する。
指置きポイントの後背部に中指置き穴を設ける。
以上の構成よりなる鉛筆持ち方矯正補助多機能キャップ。
【考案の効果】
【０００６】  皮革、合成皮革のようなソフトで丈夫な素材を使用することで手に負担がかからず、持ち方誘導帯により自然に正しい向きに握ることできる。親指と人指し指は先端部に設けられた親指人差し指相互侵入防止壁により、作業に熱中しても指が重なることがない。
使用する皮革などの厚みにより、中指を当てる場所を意識でき、またこの厚みゆえに、短くなった鉛筆にも使用可能な強度が得られ、延長補助キャップとしても使用できる。
この形状により、本考案は左右両手に対応できる。
【図面の簡単な説明】
【０００７】
【図１】本考案の側面図
【図２】本考案の背面図
【図３】本考案の正面図
【図４】本考案の使用状態を示す斜視図
【図５】本考案の使用状態を別の角度から見た斜視図
【考案を実施するための形態】
【０００８】  以下、本考案の実施の形態を説明する。
（イ）厚み１．５ｍｍ位の皮革や合成皮革のようなソフトで丈夫な素材を用い、鉛筆を持ち始める子供用の通常より短い鉛筆に合わせた長さで筒状に形成し、一方の端を閉じて後端閉口部（６）とし、他端を開口し先端開口部（５）とする。
（ロ）筒外面の先端開口部（５）近くに、親指と人指し指を挟み合わせるように置き添える指置きポイント（１）を設け、この指置きポイント（１）の領域を前方方向へ筒外面を縦に平たく押し拡げるように親指人指し指相互侵入防止壁（３）を設け、この親指人指し指相互侵入防止壁（３）は、指置きポイント（１）の領域にとどまらず、そのまま後端閉口部（６）まで連続する形で持ち方誘導帯（４）を形成する。ここの下部分が鉛筆延長補助キャップ部（２）となる。
（ハ）指置きポイント（１）の後背部に、先端開口部（５）より５ｍｍ位のところに直径５ｍｍ位の中指置き穴（７）を設ける。
本考案は以上のような構造である。
本考案を使用するときは、
（ニ）鉛筆持ち補助具・矯正具、短くなった鉛筆の延長補助キャップとして使用の場合には、先端開口部（５）より削られた芯が出る向きで鉛筆が２０ｍｍ位出るように差し込み、持ち方誘導帯（４）が手に触れぬように持ち、親指と人指し指の腹を指置きポイント（１）に鉛筆を感じるように置き、中指の爪の横を、中指置き穴（７）に添わせる。
（ホ）鉛筆キャップとして使用するときは、削られた芯の方から中に入るように挿入する。
【符号の説明】
【０００９】  １  指置きポイント、  ２  鉛筆延長補助キャップ部、
３  親指人指し指相互侵入防止壁、  ４  持ち方誘導帯、  ５  先端開口部、
６  後端閉口部、  ７中指置き穴
【図１】
0003181529.tif 000003
【図２】
0003181529.tif 000004
【図３】
0003181529.tif 000005
【図４】
0003181529.tif 000006
【図５】
0003181529.tif 000007
(57)【要約】      （修正有）【課題】初対面の相手との出会いにインパクトを与え、深い印象を残し、自分のことを知ってもらい、今後の展開に繋げることができる名刺を提供する。【解決手段】封筒形の名刺であって、中に植物の種子を入れ、かつ、名刺にミシン目を設ける。【選択図】図１
0003181522.tif 000002
【実用新案登録請求の範囲】
【請求項１】
通常の名刺としての利用だけでなく、名刺を封筒型にし、中に植物の種子を入れる新型名刺。種子を入れることで環境にも配慮しつつ、渡す相手に深い印象を残すことができ、今後の展開に繋げることができる種子入り名刺。ミシン目を入れることにより、受取側も通常の名刺と同様の整理が可能となる。
【考案の詳細な説明】
【技術分野】
【０００１】
本考案は、封筒型の名刺の中に植物の種子を入れた、名刺に関するもの。
【背景技術】
【０００２】
通常の名刺のイメージは、カード型で、紙一枚のものでできている。
【考案の概要】
【考案が解決しようとする課題】
【０００３】
通常使用されている名刺は、みな同じ型、素材、様式で、初めて会った相手に特に深い印象を与えることが難しい。本考案は、前述の問題点を解決しようとするものである。
【課題を解決するための手段】
【０００４】
本考案は、名刺を封筒型にし、その中に植物の種子を入れる事により、通常の名刺よりも初めて会う相手に強烈なインパクトを与え、深い印象を残すことにより、問題を解決している。
【考案の効果】
【０００５】
上述の様に、本考案の種子入り名刺は、初対面の相手に深い印象を残すことはもちろん、封筒型の名刺にはミシン目が入っており、種子取り出し後は、ミシン目を切り取ると通常の名刺と同様の整理が可能となる。
【図面の簡単な説明】
【０００６】
【図１】本考案の種子入り名刺の表面図である。
【図２】本考案の種子入り名刺の裏面図である。
【図３】封筒開封イメージ図である。
【図４】封筒内イメージ図である。
【図５】ミシン目を切取り後の本名刺の図である。
【実施例】
【０００７】
以下、添付図面に従って一実施例を説明する。1は本考案の種子入り名刺本体の表面図である。封筒型の名刺となっている。点線部分はミシン目となっている。２は本考案種子入り名刺本体の裏面図である。企業広告やメッセージ欄あるいは、種子の蒔き方、育て方、花言葉など種子に関する情報を記入する欄となる。３は封筒開封のイメージ図。４は封筒内イメージ図である。種子は封筒の中にそのまま入れる。丸形の図は種子のイメージ図である。５は１の本体表面のミシン目を切り取ると、名刺面のみ残るようになる。名刺面が残ることで、通常の名刺と同様の整理が可能となる。
【符号の説明】
【０００８】
１  種子入り名刺本体表面
２  種子入り名刺本体裏面
３  封筒開封イメージ図
４  封筒内イメージ図
５  ミシン目切取り後の種子入り名刺本体
【図１】
0003181522.tif 000003
【図２】
0003181522.tif 000004
【図３】
0003181522.tif 000005
【図４】
0003181522.tif 000006
【図５】
0003181522.tif 000007
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
封筒型の名刺であって、中に植物の種子を入れ、かつ、前記封筒型の名刺にミシン目を
設けたことを特徴とする種子入り名刺。